(57)【要約】【課題】バックライトユニットの構造の簡略化や組立作業性の改善を図る。【解決手段】導電性の部材で形成したランプ接続部材２２がフレームに固定される。ランプ接続部材２２の中央部分に穴状電極部２２Ｂが形成される。その両側の部分にアーム２４が形成され、アーム２４の根元部分が弧状電極部２２Ｃとされる。ランプ接続部材２２の下部側に、蛍光ランプ２８の入力端子を取り付け可能なランプ保持部２６が備えられる。穴状電極部２２Ｂに隣り合った部分に平面電極部２２Ａが設けられ、平面電極部２２Ａ上にラバーコネクタ３２が設置される。電源ユニットを構成するプリント基板の下面側にパターン面が配置され、パターン面がラバーコネクタ３２と対向する位置関係となるように、フレーム等に電源ユニットが支持される。【選択図】  図３
2004294592.tif 000002
【特許請求の範囲】
【請求項１】
出力端子から電力を供給し得る電源ユニットと、
入力端子からの電力の入力により発光する蛍光ランプと、
導電性の部材で形成され且つ、蛍光ランプの入力端子が一端側に取り付けられると共に、複数の電極部が他端側に設けられたランプ接続部材と、
電源ユニットを支持する支持部を有し且つランプ接続部材が固定された本体部材と、
電源ユニットの出力端子と複数の電極部の何れかとの間を電気的に繋ぐコネクタ材と、
を具備したことを特徴とするバックライトユニット。
【請求項２】
複数の電極部の何れかが、平面状に形成された平面電極部とされ、
コネクタ材が、弾性及び導電性を有したラバーコネクタとされ、このラバーコネクタが平面電極部上に設置されて電源ユニットの出力端子と接続されることを特徴とする請求項１記載のバックライトユニット。
【請求項３】
複数の電極部の何れかが、穴状に形成された穴状電極部とされ、
コネクタ材が、ピン状に形成されるピンコネクタとされ、このピンコネクタの基端側が電源ユニットの出力端子に固定されると共に先端側が穴状電極部に挿入されることを特徴とする請求項１記載のバックライトユニット。
【請求項４】
複数の電極部の何れかが、弧状に形成された弧状電極部とされ、
コネクタ材が、弾性変形可能な板状に形成される板状コネクタとされ、この板状コネクタの基端側が電源ユニットの出力端子に固定されると共に先端側が弧状電極部に当接されることを特徴とする請求項１記載のバックライトユニット。
【発明の詳細な説明】
【０００１】
【発明の属する技術分野】
本発明は、構造の簡略化及び組立作業性の改善が図られたバックライトユニットに係り、例えば、液晶ディスプレイの背面に配置されて液晶ディスプレイを照明するのに好適なものである。
【０００２】
【従来の技術】
液晶ディスプレイ等の表示装置に用いられるバックライトユニットとして、ランプ接続部材の形状の工夫により蛍光ランプを取り付けるようにしたものが、特開平０７−２１８７２９号公報（特許文献１）に開示されている。また、特開平０６−０１８８７６号公報（特許文献２）に開示されたバックライトユニットのように、電源ユニットをバックライトユニットの本体部分に対してコネクタのみによって、取り付けるようにしたものもある。
【０００３】
【特許文献１】
特開平０７−２１８７２９号公報
【特許文献２】
特開平０６−０１８８７６号公報
【０００４】
【発明が解決しようとする課題】
しかし、これら公報に開示されたバックライトユニットでは、特許文献１のように蛍光ランプはワンタッチで取り付けられるものの電源ユニットの取り付けが複雑だったり、或いは特許文献２のように電源ユニットはワンタッチで取り付けられるものの蛍光ランプの取り付け方法が限定されていた。
【０００５】
この為、これらの従来技術では、部分的な構造の簡略化や部分的な組立性の改善は図られるが、バックライトユニット全体としての構造の簡略化や組立作業性の改善は図られていなかった。以上より、従来のバックライトユニットでは、構造が全体として複雑となり、これに伴って組立作業性が低くなり、結果として製造コストの低減が図られていなかった。
【０００６】
本発明は上記事実を考慮し、構造の簡略化や組立作業性の改善を図ったバックライトユニットを提供することを目的とする。
【０００７】
【課題を解決するための手段】
請求項１によるバックライトユニットは、出力端子から電力を供給し得る電源ユニットと、
入力端子からの電力の入力により発光する蛍光ランプと、
導電性の部材で形成され且つ、蛍光ランプの入力端子が一端側に取り付けられると共に、複数の電極部が他端側に設けられたランプ接続部材と、
電源ユニットを支持する支持部を有し且つランプ接続部材が固定された本体部材と、
電源ユニットの出力端子と複数の電極部の何れかとの間を電気的に繋ぐコネクタ材と、
を具備したことを特徴とする。
【０００８】
請求項１に係るバックライトユニットの作用を以下に説明する。
本請求項によれば、導電性の部材で形成されたランプ接続部材が本体部材に固定されており、このランプ接続部材の一端側に蛍光ランプの入力端子が取り付けられ、同じく他端側に複数の電極部が設けられている。また、本体部材に設けられた支持部により、電源ユニットが本体部材に支持され、この電源ユニットの出力端子と複数の電極部の何れかとの間を、コネクタ材が電気的に繋いでいる。
従って、これらコネクタ材及びランプ接続部材を介しての電源ユニットの出力端子から蛍光ランプの入力端子への電力の供給により、この蛍光ランプが発光するようになる。
【０００９】
つまり、本請求項のバックライトユニットでは、本体部材にランプ接続部材を固定し、このランプ接続部材に、蛍光ランプの入力端子を取り付けると共に、コネクタ材を介して電源ユニットを接続することで、電源ユニットから蛍光ランプに電力を供給するようにした。
【００１０】
この為、本請求項のバックライトユニットによれば、導電性を有したランプ接続部材を用いたことで構造が簡素化されて、部品点数削減による構造の簡略化及び、組立作業性の改善が図られることになる。また、ランプ接続部材が、複数の電極部を同時に兼ね備え、これら複数の電極部の何れかと電源ユニットの出力端子との間をコネクタ材によって電気的に繋ぐ構造となっているので、ランプ接続部材に対して電源ユニットを柔軟に接続できる構造にもなっている。
【００１１】
さらに、前述の従来技術の構造では、電源ユニットと螢光ランプとの間の接続に際して、コネクタやその接続線材などをバックライトユニット内に配置する必要が生じる。この為、従来技術の構造では、高電圧の出力端子からの漏れ電流による交流抵抗が発生することになる。
【００１２】
これに対して本請求項によれば、上記のランプ接続部材を用いたことで電源ユニットと蛍光ランプとの間を最短距離で接続できる結果として、高電圧となっている部分からの漏れ電流を減少させ、交流抵抗を減らすことが可能になる。これに伴い、高電圧の部分と周辺部品との間の電圧差を有する部分も短くなり、安全性も高くなる。
【００１３】
請求項２に係るバックライトユニットの作用を以下に説明する。
本請求項は請求項１と同様の構成を有して同様に作用するが、さらに本請求項では、複数の電極部の何れかが、平面状に形成された平面電極部とされ、コネクタ材が、弾性及び導電性を有したラバーコネクタとされ、このラバーコネクタが平面電極部上に設置されて電源ユニットの出力端子と接続されるという構成となっている。
【００１４】
従って、コネクタ材が弾性及び導電性を有したラバーコネクタとされたことで、支持部で電源ユニットを支持するのに伴って、電源ユニットの出力端子と平面電極部との間でラバーコネクタを圧縮する力を生じさせるようにすれば、電源ユニットと平面電極部との間が、より確実に接続されるようになる。
【００１５】
請求項３に係るバックライトユニットの作用を以下に説明する。
本請求項は請求項１と同様の構成を有して同様に作用するが、さらに本請求項では、複数の電極部の何れかが、穴状に形成された穴状電極部とされ、コネクタ材が、ピン状に形成されるピンコネクタとされ、このピンコネクタの基端側が電源ユニットの出力端子に固定されると共に先端側が穴状電極部に挿入されるという構成となっている。
【００１６】
従って、コネクタ材がピン状に形成されるピンコネクタとされたことで、ピンコネクタの先端側が穴状電極部に挿入されるのに伴って、ピンコネクタの先端側が弾性変形しつつピンコネクタと穴状電極部とが確実に接触するようになる。この結果として、電源ユニットと穴状電極部との間が、より確実に接続されることになる。
【００１７】
請求項４に係るバックライトユニットの作用を以下に説明する。
本請求項は請求項１と同様の構成を有して同様に作用するが、さらに本請求項では、複数の電極部の何れかが、弧状に形成された弧状電極部とされ、コネクタ材が、弾性変形可能な板状に形成される板状コネクタとされ、この板状コネクタの基端側が電源ユニットの出力端子に固定されると共に先端側が弧状電極部に当接されるという構成となっている。
【００１８】
従って、コネクタ材が弾性変形可能な板状に形成される板状コネクタとされたことで、支持部で電源ユニットを支持するのに伴って、板状コネクタを弧状電極部に単に当接させるだけでなく、電源ユニットの出力端子と弧状電極部との間で板状コネクタを変形させる圧力を生じさせるようにすれば、電源ユニットと弧状電極部との間が、より確実に接続されるようになる。
【００１９】
【発明の実施の形態】
以下、図面を参照しつつ本発明に係るバックライトユニットの一実施の形態を説明することにより、本発明を明らかにする。
図１は、本実施の形態による液晶ディスプレイ（図示せず）の照明用のバックライトユニット１０の外観を表す斜視図である。反射板１４の一端側が取り付けられるこの図１に示すバックライトユニット１０の外枠をフレーム１２が構成している。図２に示すように、このフレーム１２に凹部１２Ａが等間隔で複数形成されており、この凹部１２Ａを形成する左右の側面には、直線状に伸びる溝とされる溝部１６がそれぞれ設けられている。尚、図示しないものの、この反射板１４の他端側も他のフレームに取り付けられている。
【００２０】
また、バックライトユニット１０の裏側であって図１における上面側となる反射板１４及びフレーム１２の部分には、先端側にテーパ状に突出した部分を有した支持部である爪部１８、２０が、直立するように複数並んで配置されている。さらに、凹部１２Ａに隣り合ったフレーム１２の部分には、上側に突出する形の壁部１２Ｂが一対設けられている。
【００２１】
このフレーム１２に形成された凹部１２Ａの溝部１６には、金属板等の導電性の部材を屈曲して形成したランプ接続部材２２の左右端がそれぞれ圧入されて、フレーム１２にランプ接続部材２２が固定されている。図３から図５に示すように、このランプ接続部材２２の中央部分には、バーリング加工された貫通穴となる穴状電極部２２Ｂが形成されており、この穴状電極部２２Ｂを中心とした対称の部分には、それぞれ屈曲されて下側に伸びる一対のアーム２４が、設けられている。そして、この一対のアーム２４の根元部分が、弧状に形成された弧状電極部２２Ｃとそれぞれされている。
【００２２】
図４及び図５に示すように、これら一対のアーム２４の中程は、相互間が一旦狭くなってからそれぞれ円弧状に形成されることで、相互間に円状の空間を有したランプ保持部２６とされている。さらにこれら一対のアーム２４の先端側部分は、相互間が開いた構造になっている。
【００２３】
従って、ランプ接続部材２２の下部側には、一対のアーム２４により形成されたランプ保持部２６が備えられており、蛍光ランプ２８の円筒状に形成された入力端子２８Ａが、一対のアーム２４の相互間が開いた先端側部分から、簡易にこのランプ保持部２６に取り付けることが出来るようになっている。また、蛍光ランプ２８の入力端子２８Ａを取り外す際も、蛍光ランプ２８をランプ接続部材２２から引き離すように力を加えれば、容易に取り外し可能となる。つまり、蛍光ランプ２８を簡易にランプ接続部材２２に対して着脱可能な構造になっている。
【００２４】
さらに、図３から図５に示すように、このランプ接続部材２２の上部側の穴状電極部２２Ｂに隣り合った部分には、平面状に形成された平面電極部２２Ａが設けられている。この平面電極部２２Ａ上には、直方体状に形成され且つ弾性及び導電性を有したコネクタ材であるラバーコネクタ３２が、平面電極部２２Ａの両側に位置することになる一対の壁部１２Ｂによって挟持される形で、設置されている。尚、このラバーコネクタ３２内には複数本の金属線３２Ａが等間隔で入っていて、導電性を確保している。
【００２５】
一方、トランス３８だけでなく図示しない電子部品がプリント基板３６上に搭載されることで、バックライト駆動用のインバータユニットである電源ユニット３４が形成されており、図１に示すように、この電源ユニット３４は、プリント基板３６の下面側に配置された出力端子となるランドであるパターン面３６Ａから電力を外部に供給し得るようになっている。
【００２６】
そして、このパターン面３６Ａがラバーコネクタ３２と対向する位置関係となるように、バックライトユニット１０の裏側からフレーム１２の爪部１８及び反射板１４の爪部２０の弾性に抗して、電源ユニット３４を反射板１４側に押しつけることで、この電源ユニット３４が簡易にフック状の爪部１８、２０と係合して、バックライトユニット１０の本体部材を構成するフレーム１２及び反射板１４に、この電源ユニット３４が支持される。尚、電源ユニット３４をフレーム１２及び反射板１４から取り外す際には、爪部１８、２０を押し広げることで、容易に取り外し可能となる。
【００２７】
以上の結果として、電源ユニット３４を構成するプリント基板３６のパターン面３６Ａが、ラバーコネクタ３２と当接して、これらが電気的に接続されることになり、この際に、フレーム１２に支持されたプリント基板３６のパターン面３６Ａと、同じくフレーム１２に固定されたランプ接続部材２２との間に、このラバーコネクタ３２が確実に保持されることになる。これに伴って、このパターン面３６Ａとランプ接続部材２２の平面電極部２２Ａとの間が、ラバーコネクタ３２内の導電性の部分を介して電気的に繋がれることで、蛍光ランプ２８に電力が供給されて、蛍光ランプ２８が発光することになる。
【００２８】
さらに、本実施の形態のバックライトユニット１０では、フレーム１２に複数存在する凹部１２Ａにそれぞれランプ接続部材２２が固定される形で配置されることになり、これに伴って、一つのランプ接続部材２２に電源ユニット３４及び蛍光ランプ２８が一つずつ接続される。この為、ランプ接続部材２２の数に合わせて複数の電源ユニット３４及び蛍光ランプ２８が取り付け可能となっている。
【００２９】
次に、本実施の形態に係るバックライトユニット１０の作用を説明する。
本実施の形態に係るバックライトユニット１０によれば、導電性の部材で形成されたランプ接続部材２２がフレーム１２に固定されており、このランプ接続部材２２の一端側に蛍光ランプ２８の入力端子２８Ａが取り付けられている。同じくこのランプ接続部材２２の他端側に複数の電極部である平面電極部２２Ａ、穴状電極部２２Ｂ及び弧状電極部２２Ｃが設けられている。
【００３０】
また、フレーム１２及び反射板１４に設けられた爪部１８、２０により、電源ユニット３４がこれらフレーム１２及び反射板１４に支持され、この電源ユニット３４のパターン面３６Ａと平面電極部２２Ａとの間を、この平面電極部２２Ａ上に配置されたラバーコネクタ３２が電気的に繋いでいる。従って、これらラバーコネクタ３２及びランプ接続部材２２を介しての電源ユニット３４のパターン面３６Ａから蛍光ランプ２８の入力端子２８Ａへの電力の供給により、この蛍光ランプ２８が発光するようになる。
【００３１】
つまり、本実施の形態のバックライトユニット１０では、フレーム１２にランプ接続部材２２を固定し、このランプ接続部材２２に蛍光ランプ２８の入力端子２８Ａを取り付け、また、ラバーコネクタ３２を介して電源ユニット３４をこのランプ接続部材２２に接続することで、電源ユニット３４から蛍光ランプ２８に電力を供給するようにした。
【００３２】
この為、本実施の形態のバックライトユニット１０によれば、導電性を有し且つ蛍光ランプ２８及び電源ユニット３４をそれぞれ簡易に取り付けることが出来るランプ接続部材２２を用いたことで、構造が簡素化されて、部品点数削減による構造の簡略化、薄型化及び、組立作業性の改善が図られ、これに伴ってバックライトユニット１０の製造コストも低減されることになる。
【００３３】
一方、本実施の形態では、コネクタ材を弾性及び導電性を有したラバーコネクタ３２とし、このラバーコネクタ３２が平面状に形成された平面電極部２２Ａ上に設置されて電源ユニット３４のパターン面３６Ａと接続されている。従って、爪部１８、２０により電源ユニット３４を支持するのに伴って、電源ユニット３４のパターン面３６Ａと平面電極部２２Ａとの間でラバーコネクタ３２を圧縮する力が生じるので、電源ユニット３４と平面電極部２２Ａとの間が、より確実に接続されるようになる。
【００３４】
次に、本実施の形態に係るバックライトユニット１０の本体部材に電源ユニット３４を取り付ける他の構造を図６及び図７に基づき、説明する。
図６及び図７に示すように、この電源ユニット３４を構成するプリント基板３６のパターン面３６Ａには貫通孔が設けられ、コネクタ材であるピン状に先端側が形成されたピンコネクタ４２の基端側を構成する電極４２Ｂが、この貫通孔に挿入されると共にパターン面３６Ａにはんだ付けされて、固定されている。尚、このピンコネクタ４２の中程は合成樹脂材により直方体状に形成された中間部４２Ｃとなっている。
【００３５】
そして、フレーム１２及び反射板１４へのこの電源ユニット３４の取り付けの際に、電源ユニット３４に固定されたピンコネクタ４２の先端側が、ランプ接続部材２２に設けられた穴状電極部２２Ｂ（図３に示す）に挿入されるようになっている。
【００３６】
以上より、コネクタ材がピン状に先端側を形成したピンコネクタ４２とされたことで、このピンコネクタ４２の先端側のピン４２Ａが穴状電極部２２Ｂに挿入されるのに伴い、ピンコネクタ４２の先端側のピン４２Ａが弾性変形しつつピンコネクタ４２と穴状電極部２２Ｂとが確実に接触するようになる。
【００３７】
この結果として、蛍光ランプ２８がランプ接続部材２２に接続されるのに伴って、部品点数削減による構造の簡略化及び、組立作業性の改善が図られるだけでなく、電源ユニット３４とランプ接続部材２２との間が、ピンコネクタ４２と穴状電極部２２Ｂとによってより確実に接続されることになる。つまり、蛍光ランプ２８だけでなく、電源ユニット３４もラバーコネクタ３２を用いた場合と同様にワンタッチで簡易に取り付けることが出来ようになり、この場合もピンコネクタ４２及びランプ接続部材２２を介して、電源ユニット３４から蛍光ランプ２８に電力を確実に供給可能になる。
【００３８】
次に、本実施の形態に係るバックライトユニット１０の本体部材に電源ユニット３４を取り付けるさらに他の構造を図８から図１０に基づき、説明する。
図８及び図９に示すように、この電源ユニット３４を構成するプリント基板３６のパターン面３６Ａには一対の貫通孔が設けられ、コネクタ材である弾性変形可能な板状に形成された板状コネクタ４４の基端側を構成する一対の電極４４Ｂが、これら一対の貫通孔に挿入されると共にパターン面３６Ａにはんだ付けされて、固定されている。図１０に示すように、この板状コネクタ４４は、金属板等の導電性の部材を屈曲して形成したものであり、先端側が二つに別れてそれぞれＶ字形になっていて、折り返された先端部分が当接部４４Ａとされている。
【００３９】
そして、フレーム１２及び反射板１４へのこの電源ユニット３４の取り付けの際に、電源ユニット３４に固定された板状コネクタ４４の先端側の当接部４４Ａが、ランプ接続部材２２の弧状電極部２２Ｃとフレーム１２の凹部１２Ａとの間に生じた隙間にそれぞれ挿入されることにより、この板状コネクタ４４の先端側を構成する一対の当接部４４Ａが、一対の弧状電極部２２Ｃにそれぞれ当接されるようになっている。
【００４０】
以上より、コネクタ材が弾性変形可能な板状に形成される板状コネクタ４４とされたことで、爪部１８、２０で電源ユニット３４を支持するのに伴って、板状コネクタ４４の二つに別れた先端側部分の当接部４４Ａを一対の弧状電極部２２Ｃに単にそれぞれ当接させるだけでなく、電源ユニット３４のパターン面３６Ａと弧状電極部２２Ｃとの間で板状コネクタ４４を変形させるような圧力を生じさせるようにできる。
【００４１】
この結果として、蛍光ランプ２８がランプ接続部材２２に接続されるのに伴って、部品点数削減による構造の簡略化及び、組立作業性の改善が図られるだけでなく、電源ユニット３４とランプ接続部材２２との間が、板状コネクタ４４と弧状電極部２２Ｃとによってより確実に接続されることになる。これにより、蛍光ランプ２８だけでなく、電源ユニット３４もラバーコネクタ３２を用いた場合と同様に簡易に取り付けることが出来ようになり、この場合も板状コネクタ４４及びランプ接続部材２２を介して電源ユニット３４から蛍光ランプ２８に電力を確実に供給可能になる。
【００４２】
一方、本実施の形態では、ランプ接続部材２２が、平面電極部２２Ａ、穴状電極部２２Ｂ及び弧状電極部２２Ｃ等の複数の電極部を同時に兼ね備え、これら複数の電極部の何れかと電源ユニット３４のパターン面３６Ａとの間をコネクタ材によって電気的に繋ぐ構造となっているので、ランプ接続部材２２に対して電源ユニット３４を柔軟に接続できる構造にもなる。つまり、製造コスト、組立作業性及びバックライトユニット１０の構造等によって、接続構造を使い分けることも可能になっている。
【００４３】
さらに、本実施の形態によれば、上記のランプ接続部材２２を用いたことにより、電源ユニット３４と蛍光ランプ２８との間を最短距離の３ｍｍ程度で接続できる結果として、高電圧となっている部分からの漏れ電流を減少させ、交流抵抗を減らすことが可能になる。これに伴い、高電圧の部分と周辺部品との間の電圧差を有する部分も短くなり、安全性も高くなる。
【００４４】
尚、上記実施の形態では、ランプ接続部材２２の複数の電極部を平面電極部２２Ａ、穴状電極部２２Ｂ及び弧状電極部２２Ｃの三種類の電極部としたが、他の構造の電極部を採用しても良く、また、電極部の数も３つに限定されず、さらに多数としても良い。
【００４５】
他方、ランプ接続部材２２の形状も、上記実施の形態に限定されず、ほぼ円筒形をした蛍光ランプの入力端子に対応できるものであれば良い。また、上記実施の形態は、バックライトユニットを液晶ディスプレイの照明用として説明したが、他の種類の表示装置に本発明を採用しても良い。
【００４６】
【発明の効果】
本発明のバックライトユニットによれば、電源ユニットの出力端子との電気的接続が複数の接続方法に対応できることになり、構造の簡略化や組立作業性の改善を図ることが可能となる。又、最短距離で接続できることにより、高電圧部からのもれ電流の減少や交流抵抗を減らすことが可能になる。これにより安全性も高くなる。
【図面の簡単な説明】
【図１】本発明の一実施の形態に係るバックライトユニットの外観を表す斜視図である。
【図２】本発明の一実施の形態に係るバックライトユニットの反射板を取り除いた状態を示す要部拡大斜視図である。
【図３】本発明の一実施の形態に係るバックライトユニットに適用されるランプ接続部材の周辺を表す要部拡大斜視図である。
【図４】本発明の一実施の形態に係るバックライトユニットに適用されるランプ接続部材の周辺を表す要部拡大斜視図であって、ラバーコネクタがない状態を示す図である。
【図５】本発明の一実施の形態に係るバックライトユニットに適用されるランプ接続部材の拡大斜視図である。
【図６】本発明の一実施の形態に係るバックライトユニットの本体部材にピンコネクタを用いて電源ユニットを取り付ける際の要部拡大斜視図である。
【図７】本発明の一実施の形態に係るバックライトユニットに適用されるピンコネクタの拡大斜視図である。
【図８】本発明の一実施の形態に係るバックライトユニットの本体部材に板状コネクタを用いて電源ユニットを取り付ける際の斜視図である。
【図９】本発明の一実施の形態に係るバックライトユニットの本体部材に板状コネクタを用いて電源ユニットを取り付ける際の要部拡大斜視図であって、反射板を取り除いた状態を示す図である。
【図１０】本発明の一実施の形態に係るバックライトユニットに適用される板状コネクタの拡大斜視図である。
【符号の説明】
１０            バックライトユニット
１２            フレーム（本体部材）
１４            反射板（本体部材）
１８、２０      爪部（支持部）
２２            ランプ接続部材
２２Ａ          平面電極部
２２Ｂ          穴状電極部
２２Ｃ          弧状電極部
２８            蛍光ランプ
２８Ａ          入力端子
３２            ラバーコネクタ（コネクタ材）
３４            電源ユニット
３６Ａ          パターン面（出力端子）
４２            ピンコネクタ（コネクタ材）
４４            板状コネクタ（コネクタ材）
【図１】
2004294592.tif 000003
【図２】
2004294592.tif 000004
【図３】
2004294592.tif 000005
【図４】
2004294592.tif 000006
【図５】
2004294592.tif 000007
【図６】
2004294592.tif 000008
【図７】
2004294592.tif 000009
【図８】
2004294592.tif 000010
【図９】
2004294592.tif 000011
【図１０】
2004294592.tif 000012